(57)【要約】      （修正有）【課題】従来の突起点字の触覚だけではなく盲目者の歩行誘導を安全におこない精神的負担を軽減でき、また消耗と破損の個々に替えのできる歩行誘導路帯及び杖を提供すること。【解決手段】路面上に上面部が露出するように複数の溝を沿うように設けた上下可動の昇降溝路帯体と上下自在可動的視点字は共に埋設形成の磁石を設けてあり、盲目者歩行の杖１０の内部構造により、足元での感知確認と耳でのイヤホン１３の音声による誘導の両立ができ精神的負担を軽減できる歩行誘導触覚安全装備から成る歩行誘導路帯及び杖。【選択図】図４
2005230033.tif 000002
【特許請求の範囲】
【請求項１】
路面上に上面部が露出するように、複数の、上方部に形成するゴム板18と下方に形成するゴム台20との間に磁石板19を設ける帯状弾性溝17を並列に埋設するとともに、内壁に沿って着脱自在の筒状本体2を設け、該筒状本体２の底板4に凸部を有するゴムリング6を配置し、該ゴムリング６内に、前記底板4に下端が支特され上端に設ける、前記ゴムリング６の凸部に嵌合する点字鋲３を上下に可動的に支特するバネ５を配し、前記点字鋲３の外周に磁性材を吸着する磁石７を設ける外套菅１を、前記帯状男性溝17間の路面下に前記点字鋲３の頭部が露出するように埋設して成る歩行誘導路帯。
【請求項２】
請求項１の歩行誘導路帯と対になる筒状棒10、14の内部先端部に鉄芯等の磁性帯11を可動的に設けるとともに該磁性体が先端方向に移動するときに、電気回路を閉じて通電するスイッチを有する発振部12前記筒状棒10、14の内部適宜位置12を設け、該発信部12からの信号を音声に変えて受信するイヤホン13を筒状棒10、14の上端部に設けるグリップ15から離設して設ける盲目者用杖。
【発明の詳細な説明】
【技術分野】
【０００１】
本発明は、視覚障害者の歩行時に於ける安全を確保するための誘導路帯と、これと一対の杖に関するものである。
【背景技術】
【０００２】
従来、この種の一般的な路面鋲は図５で示すコンクリート枠による凹凸状点字と凹凸形成の点字で歩行時足の触覚点字ブロックが知られている、他に実用新案、実開平６−８４１７号が公報にて、昇降及び異物等の侵入の防止とシールによる示票等で記載されている。
【特許文献１】特開平１０−１１３３５９
【特許文献２】実用平６−８４７１
【発明の開示】
【発明が解決しようとする課題】
【０００３】
従来の点字ブロックは、突起点字を足裏で踏むことによって触覚で感知出きるものであり、点字が磨耗したり或いは欠けて破損するなどの消耗が激しく、歩行の不便さを解消していないと云う問題点が有り、従って本発明に於ける課題は、上記の問題点を解決する事の出来る歩行誘導路帯及び杖用具を提供することである。
【課題を解決するための手段】
【０００４】
上端部にゴム板18と下方に形成するゴム台20との間に磁石板19を設ける帯状弾性溝17を並列に埋設するとともに、内壁に沿って着脱自在の筒状本体２を設け、該筒状本体２の底板４に凸部を有するゴムリング６を配置し、該ゴムリング６内に、前記底板４に下端が支特され上端に設ける、前記ゴムリング６の凸部に嵌合する点字鋲３を上下に可動的存支特をするバネ５を配し、前記点字鋲３の外周に磁性材を吸着する磁石７を設ける外套菅１を、前記帯状弾性溝17間の路面下に、前記点字鋲３の頭部が露出するように埋設して成る歩行誘導路帯と杖10、14の筒状棒内側先端部に鉄芯等の磁性体11を可動的に設け、該磁性体11が先端方向に移動するときに電気回路を閉じて通電するスイッチを有する発信部12を他端側に設け、発信部12から信号を音声に変えて受信するイヤホン13を筒状棒10、14の上端部に設けるグリップ15から離設して設ける杖と補聴器を合せた機能溝造状の盲目者用杖とから成るものとして課題を解決している。
【発明の効果】
【０００５】
本発明によれば、路面そのものを素材とした上下可動を自在とした昇降帯と埋設形の視点字で共に、磁力歩行誘導路帯と点字で有り、杖内部先端部に設けた鉄芯等の磁性体を可動的にし、該磁性体が先端方向に移動するときに電気回路を閉じて通電し発信音を音声に変えてイヤホン補聴器で受信し、歩行の安全を足元と耳元での両方で歩行確認誘導ができ、精神的負担を軽減でき又、差し替え可能の歩行誘導路帯と視点字及び杖を提供できることになり目的を十分に達成しするものである。
【発明を実施するための最良の形態】
【０００６】
路面状に上面部が露出するように、複数の、上方部に形成するゴム板18と下方に形成するゴム台20との間に磁石板19を設けて成る帯状弾性溝17を並列に埋設するとともに、内壁に沿って着脱自在の筒状本体２を設け、該筒状本体２の底板４上に凸部を有するゴムリング６の凸部に嵌合する点字鋲３を上下に可動的に支特するバネ５を配し、前記点字鋲３の外周に磁性材を吸着する磁石７を設ける外套菅１を、前記帯状弾性溝17間の路面に共に前記点字鋲３の頭部が露出するように埋設して成る歩行誘導路帯と筒状棒10、14の内部先端部に鉄芯等の磁性体11を可動的に設けるとともに該磁性体11が先端方向に移動するときに電気回路を閉じて通電するスイッチを設ける発信部12を設け、発信部12からの信号を音声に変えて受信する補聴器状から成るイヤホン13を筒状棒10、14の上端部に設けるグリップ15から離設して設けて成る。
【実施例】
【０００７】
本発明の実施の形態を実施例に基づき図面を参照して説明する、図１に示すように歩行誘導路帯対と視点字は、上下可動的に昇降を有するもので誘導路帯溝17は上端部ゴム板18と下方向にゴム台20の間に磁石板19を設けて成る帯状弾性溝17を並列に埋設して成る。
【０００８】
また、上記歩行誘導帯状弾性溝17と共に視点字から成る内壁に沿って着脱を有する自在の筒状本体２設け、該筒状本体２の底板４上に凸部を有するゴムリング６内を配置し、該ゴムリング６内に、前記底板４に下端が支特され上端に設ける、前記ゴムリング６の凸部に嵌合する点字鋲３を上下に可動的に支特するバネ５を配し、前記点字鋲３外周に磁性材を吸着する磁石７を設ける外套菅１を、前記帯状弾性溝17間の路面に共に埋設し頭部が露出する構成。
【０００９】
図３と図４で示す前記歩行誘導路帯と対になる、筒状棒10、14の内部の先端部に鉄芯等の磁性体11を可動的に設け、該磁性体11が先端方向に移動するときに電気回路を閉じて通電するスイッチを設ける発振部12にを設け、発信部12から信号を音声に変えて受信部12する補聴器状機能を有する上端部より線16を施し、イヤホン13を筒状棒10、14の上端部に設けるグリップ15から離設して設ける盲目者用杖10を構成するものである。
【産業上の利用可能性】
【００１０】
図４で示す、歩行誘導の安全装備として足元触覚と耳元での感知を両立させ歩行者の精神的負担を軽減できる安全装備具となる歩行誘導路帯及び杖から成る。
【図面の簡単な説明】
【００１１】
【図１】一実施例を示す装置路面誘導断面図である。
【図２】歩道と溝を数本沿う上下昇降構成の断面図である。
【図３】杖要部内の断面図である。
【図４】歩行実施例を示す斜視図である。
【図５】従来の点字ブロックに於ける斜視図である。
【図６】従来の点字ブロックの斜視図である。
【符号の説明】
【００１２】
１  外套菅
２  本  体
３  視点字鋲
４  底  台
５  弾  性
６  ゴムリング
７  磁  石
８  ゴム（ラバ）
９  固定台
杖
11  鉄  芯
12  発信機（補聴器機能）
イヤホン
伸縮部
グリップ
コード
溝
ゴム板
電磁板
ゴム台（ラバ帯）
【図１】
2005230033.tif 000003
【図２】
2005230033.tif 000004
【図３】
2005230033.tif 000005
【図４】
2005230033.tif 000006
【図５】
2005230033.tif 000007
【図６】
2005230033.tif 000008